(57)【要約】  電気器具（２）と、導電性繊維が織り込まれて形成された導電性織物（３）とを具備し、この導電性織物（３）は、電気器具（２）を覆うように配置され、また導電性織物（３）にはアースライン（５）が接続されており、アースライン（５）と電気器具（２）の電源線（６）とが合わせられて構成された単相３線プラグ（４）を有する電磁波抑制機能付電気機器である。【特許請求の範囲】
【請求項１】
電気器具と、導電性繊維が織り込まれて形成された導電性織物とを具備し、該導電性織物は、前記電気器具を覆うように配置され、また前記導電性織物にはアースラインが接続されており、該アースラインと前記電気器具の電源線とが合わせられて構成された単相３線プラグを有することを特徴とする電磁波抑制機能付電気機器。
【請求項２】
前記アースラインは、その一端にクリップが設けられて、該クリップで前記導電性織物を挟むことにより接続されることを特徴とする請求の範囲第１項に記載の電磁波抑制機能付電気機器。
【発明の詳細な説明】
【技術分野】
【０００１】
本発明は、一般家庭の電気器具から発生する極低周波電磁波（家庭用交流電源から発生する電磁波）の発生を抑制することができる電磁波抑制機能付電気機器に関する。
【背景技術】
【０００２】
従来より、家庭の電気器具等の家庭用電源から発生する極低周波電磁波については、特別の対策はとられておらず、野放し状態であるというのが実情であった。このため、近年、家庭用電源から発生する極低周波電磁波による心身への悪影響（頭痛・吐き気・いらいら等）を抑制することが要望されている。
一般に電磁波とは、電気の使用により発生するエネルギーの形態で、電場と磁場との合成波である。磁場は電気器具に電流が流れることにより生じる。すなわち、電気器具の電源スイッチを切った状態では磁場は生じない。これに対し、電場は電圧がかかるだけで生じる。すなわち、電気器具の電源スイッチを切った状態であっても、コンセントにプラグが差し込まれているだけで、電場は生じてしまう。
従って、電場の発生を抑制し、電磁波の発生を抑制するためには、プラグをコンセントから抜くか、又はアースをとることが考えられる。
後者の場合であるアースをとることは、現代の住宅事情においては地所の広さが十分ではなく、またアースをとる工事が昔ほど容易ではないため費用も嵩むという問題があり、一般家庭においては施工が困難であった。そのため電気器具を導体で覆い、導体をアースに接続することが提案されている。
そこで、導体を織り込んで導電性織物を形成し、この導電性織物を例えば電気毛布、ホットカーペット等の家庭用電気器具に被せて使用する、すなわち電気器具のカバーとして使用するものが提案されている。
この導電性織物に織り込まれる導体として、一般に銅線などが用いられていた。しかしながら、銅線等の導体は硬いため、特に導電性織物が電気毛布カバー、ホットカーペットカバー等として使用される場合、肌触りが悪くなるという問題があった。
本発明は上述したような実情に鑑みてなされたものであり、その目的とするところは、簡単に且つ確実に電気器具のアースをとることができるとともに、肌触りのよい電磁波抑制機能付電気機器を提供することにある。
【発明の開示】
【０００３】
本発明の上記目的は、電気器具と、導電性繊維が織り込まれて形成された導電性織物とを具備し、該導電性織物は、前記電気器具を覆うように配置され、また前記導電性織物にはアースラインが接続されており、該アースラインと前記電気器具の電源線とが合わせられて構成された単相３線プラグを有することを特徴とする電磁波抑制機能付電気機器を提供することによって達成される。
また、本発明の上記目的は、前記アースラインは、その一端にクリップが設けられて、該クリップで前記導電性織物を挟むことにより接続されることを特徴とする電磁波抑制機能付電気機器を提供することによって、効果的に達成される。
［発明の効果］
本発明に係る電磁波抑制機能付電気機器によれば、電気器具と、導電性繊維が織り込まれて形成された導電性織物とを具備し、電気器具を覆うように導電性織物を配置し、また導電性織物にアースラインを接続し、このアースラインと電気器具の電源線とが合わせられて構成された単相３線プラグを有するので、簡単に且つ確実に電気器具のアースを取ることができる。
また、導電性織物に接続されるアースラインの一端にクリップを設けたので、導電性織物からアースラインを容易に取り外したり、接続したりすることができる。これにより、導電性織物を洗濯したい場合等にアースラインを容易に取り外すことができるようになる。
【図面の簡単な説明】
【０００４】
第１図は本発明に係る電磁波抑制機能付電気機器の概略構成図である。
第２図は、第１図のＩ−Ｉ断面図である。
【発明を実施するための最良の形態】
【０００５】
以下、本発明に係る電磁波抑制機能付電気機器について、図面を参照しながら詳細に説明する。なお、本発明に係る電磁波抑制機能付電気機器は、以下の実施形態に限定されるものではなく、特許請求の範囲を逸脱しない範囲内においてその構成を適宜変更できることはいうまでもない。
第１図は、本発明に係る電磁波抑制機能付電気機器（以下、「本電気機器」と省略する。）の概略構成図であり、第２図は、第１図のＩ−Ｉ断面図である。図示するように、本電気機器１は、電気器具２と、導電性織物３とを具備して構成されている。
導電性織物３は、導電性繊維が織り込まれて形成されている。すなわち、導電性織物３は、経糸（縦糸）３１及び緯糸（横糸）３２の両方或いはどちらか一方に導電性繊維を織り込んで形成される。ここで、導電性繊維としては、銅繊維、黄銅繊維、アルミニウム繊維、ステンレス繊維、銀線、金線、ニッケル繊維、鉄繊維等の金属繊維、炭素繊維、金属を表面に蒸着被覆した炭素繊維等の種々のものを、１種又は２種以上を組み合わせて使用される。
このように導電性繊維を織り込んで導電性織物３を形成することによって、導電性織物３が、例えばホットカーペットカバー、電気毛布カバー等として用いられた場合、柔らかい手触りであっても、電気器具２（すなわちホットカーペットや電気毛布）のアースをとることができるとともに、電気器具２から放射される電磁波、特に電場を遮蔽することができるようになる。
また、本電気機器１は単相３線プラグ４を有する。すなわち、本電気機器１は、導電性織物３にアースライン５が接続されており、このアースライン５と、電気器具２の電源線６，６とが合わせられて形成された単相３線プラグ４を有する。
この単相３線プラグ４としては、第１図に示すように、電気器具２の電源線６，６と接続される単相電源の一対の矩形開口の差込穴７，７及び、アースライン５と接続され、円形開口の差込穴８を有するコンセント９に対応する形状を有するものが用いられる。なお、円形開口の差込穴８はアースに接続されている。
なお、日本で使用する場合は、第１図に示すような形状を有するコンセント、及びこのコンセントに対応するプラグを用いるが、日本以外の国で使用される電気器具に適用する場合には、その国の電源に適応した形状のコンセント及びプラグを用いる。
また、本電気機器１は、第２図に示すように、電気器具２を覆うように導電性織物３が配置されて構成されている。
このように電気器具２を導電性織物３で覆って、本電気機器１を構成しているので、単相３線プラグ４をアースに接続されたコンセント９に差し込むだけで、電気器具２のアースを簡単に且つ確実にとることができるとともに、電気器具２から放射される電磁波を容易に遮断することができる。
また、アースライン５は、第１図に示すように、その一端にクリップ１０を設け、このクリップ１０で導電性織物３に織り込まれた導電性繊維を挟む構成のものが好ましい。
このような構成であると、アースライン５の接続が容易となるとともに、取り外しも容易となる。従って、導電性織物３を電気器具２から容易に取り外して洗濯等行うことができるとともに、導電性織物３を電気器具２に容易に取付けることができる。
この場合、導電性織物３には、その一端縁に沿って、アースライン５を接続する電極１１が設けられることが好ましい。すなわち、アースライン５の一端に設けられたクリップ１０で電極１１を挟むような構成とすることにより、より簡単に且つ確実にアースライン５を導電性織物３に接続することができるようになる。
なお、導電性繊維を縦糸３１又は横糸３２のどちらか一方に織り込んで導電性織物３を形成した場合には、電極１１を設ける必要があるが、縦糸３１及び横糸３２の両方に導電性繊維を織り込んで導電性織物３を形成した場合には電極１１を小さくするか、あるいは電極１１を設けなくても良い。
以上に詳述したように、本電気機器１によれば、電気器具２のアースを簡単に且つ確実にとることができるため、電気器具２から外部に放射される電磁波、特に漏洩電磁波、極低周波の電磁波、電場を簡単に且つ確実に遮断することができる。
【図１】
2006132038.tif 000002
【図２】
2006132038.tif 000003
【国際調査報告】
2006132038.tif 000004
2006132038.tif 000005
2006132038.tif 000006
2006132038.tif 000007